(57)【要約】【課題】本発明は、森林から得られる木材をさらに有効活用する方法を提供することを課題とする。【解決手段】木材を伐採し、該伐採した木材を原木としてキノコ類を栽培し、該栽培後の原木を甲虫類の飼育材として使用し、該飼育後に得られた残骸物を更に別の種類の甲虫類の飼育材として使用し、その後の該飼育材の残骸を植物栽培用材として使用する工程を含む木材のリサイクリングシステムによる。具体的には、甲虫類としてクワガタ虫を飼育し、その残骸物をカブト虫の飼育に使用する工程を含む上記リサイクリングシステムによる。【特許請求の範囲】
【請求項１】
木材を伐採し、該伐採した木材を用いてキノコ類を栽培し、該栽培後の木材を甲虫類の飼育材として使用し、該飼育後に得られた残骸物を更に別の種類の甲虫類の飼育材として使用し、その後の該飼育材の残骸を植物栽培用材として使用する工程を含む木材のリサイクリングシステム。
【請求項２】
甲虫類の飼育材として使用する工程が、キノコ培養後の木材を粉砕したものをクワガタ虫の飼育に使用し、該クワガタ虫の飼育に使用した飼育材の残骸を、さらにカブト虫の飼育に使用する工程である請求項１に記載のリサイクリングシステム。
【請求項３】
各種工程を経た木材が、最終的にもとの木材と同種の木材の栽培に活用することからなる請求項１又は２に記載のリサイクリングシステム。
【発明の詳細な説明】
【０００１】
【発明が属する技術分野】
本発明は、木材のリサイクル、好ましくは木材のクローズドリサイクルシステムに関する。
【０００２】
【従来の技術】
近年、市町村県、教育機関、学校、企業等では森林を整備し、「森林公園」や「昆虫の森」のようにテーマパーク化させ、市民に開放することにより、ふるさと再生や自然教育等を推進しようとする動きが見られている。このような場合に、保有する森林をいかに有効活用するかにより、森林、自然環境の維持、ふるさと活性化、事業運営における資金確保等に大きく影響を及ぼすことが考えられる。
例えば、森林の木材は、通常は伐採後に所定の形状に製材して家屋等の建材として用いたり、黒炭や白炭といわれる木炭を生成し、それを固体燃料として用いたり、或いは活性炭を生成し、それを吸着剤として用いたりして、広く利用されている。しかし、個人、企業、国、地方自治体の運営するテーマパーク等の森林で得られる木材は、建築材料としての樹木の育成とは目的が異なるため、建築材料として活用することは少ない。
【０００３】
伐採した雑木林の樹木をキノコ等の人工培養の原木として使用することは既に公知である。また、一度キノコの培養の原木として使用した廃材を、再度発生条件の良い急斜面の雑木林の雨水の流れる方向に沿って埋め、キノコの培養に再利用する方法が開示されている（特許文献１）。
【０００４】
また、シイタケ椎茸栽培などで不要となった丸太廃材にドリルで穴を開けて、カブト虫やクワガタ虫等の幼虫を入れて、甲虫類の人工飼育に活用することも公知である。この方法が改良され、落葉樹の廃材を小片、粒体にしてヒラタケなどのきのこの菌糸を生育してこれを飼育マットとし、これに栄養体を添加してビン詰めし、その中に幼虫を入れて飼育する方法がとられるようになった（特許文献２）。
【０００５】
さらに、クワガタを飼育し、分解された腐朽木の残骸が植物の肥料として使用しうることも報告されている（特許文献３）。
【０００６】
上記のように、伐採した樹木をキノコ類の人工培養に活用したり、甲虫類の人工飼育に使用することは公知であるが、森林の有機資源をさらに有効活用する方法が望まれている。
【０００７】
【先行技術】
【特許文献１】
特開平１１−１５１０３６号公開公報
【特許文献２】
特開平１１−２８０３６号公開公報
【特許文献３】
特開平１１−３１８２７４号公開公報
【０００８】
【発明が解決しようとする課題】
本発明は、森林から得られる木材をさらに有効活用する方法を提供することを課題とする。
【０００９】
【課題を解決するための手段】
本発明者は鋭意研究を重ねた結果、森林から得た木材を、キノコ類の栽培、甲虫類の人工飼育の材料に使用し、得られた残骸物を植物の栽培に使用することで、無駄なく効果的に木材をリサイクルできることを見出し、本発明を完成した。
【００１０】
すなわち本発明は、
１．木材を伐採し、該伐採した木材を用いてキノコ類を栽培し、該栽培後の木材を甲虫類の飼育用材として使用し、該飼育後に得られた残骸物を更に別の種類の甲虫類の飼育用材として使用し、その後の該飼育用材の残骸を植物栽培用材として使用する工程を含む木材のリサイクリングシステム、
２．甲虫類の飼育用材として使用する工程が、キノコ培養後の木材を粉砕したものをクワガタ虫の飼育に使用し、該クワガタ虫の飼育に使用した飼育用材の残骸を、さらにカブト虫の飼育に使用する工程である前項１に記載のリサイクリングシステム、
３．各種工程を経た木材が、最終的にもとの木材と同種の木材の栽培に活用することからなる前項１又は２に記載のリサイクリングシステム、からなる。
【００１１】
【発明の実施の形態】
リサイクルとは、一般的には一度使用した材料を再利用をすることをいい、使用した材料をもとの素材と同じものに再生することを、クローズドリサイクルという。本発明では、一度使用した木材を有効活用し、最終的には同種の樹木の育成に活用し、同種の木材を得ることを目的とするものである。
本発明は、木材を伐採し、該伐採した木材を用いてキノコ類を栽培し、該栽培後の木材を甲虫類の飼育材として使用し、該飼育材の残骸を植物栽培用材として使用する工程を含む木材のリサイクリングシステムであり、具体的には次の工程を含むものである。本発明の樹木の種類は大きく分類して針葉樹及び広葉樹があるが、本発明において活用される樹木は広葉樹が中心であり、具体的にはくぬぎ、ナラ、ブナなどが挙げられる。
【００１２】
（キノコ類の培養）
伐採した木材をそのまま原木としてキノコ類の人工栽培に使用することができる。また、伐採した原木を粉砕してキノコ類の人工栽培に使用することもできる。キノコ類の栽培は公知の方法を採用することができる。栽培されるキノコとして、例えばシイタケ、ヒラタケ、カワラタケ等が挙げられる。
通常キノコ類の人工栽培に要する時間は、約半年〜５年である。
【００１３】
（甲虫類の飼育）
上記キノコ栽培に使用した後の原木を使用し、該原木を甲虫類の幼虫の餌として用い、甲虫類の飼育材とする。原木は、キノコ類を栽培した後のものであれば良く、腐朽したものであっても良いし、腐朽していないものでも良い。また、キノコ栽培に使用した後の原木と、生木との混合併用による使用も可能である。ここで生木とは、伐採後、キノコ栽培に使用していない木材をいう。また、キノコ原木栽培に使用した後の腐朽木と腐葉土を併用することもできる。
上記キノコ栽培に使用した後の原木又は該原木と生木との混合を粉砕して、さらに栄養体を添加したものを飼育室、例えば飼育ビンに詰め、その中に卵から孵化後の甲虫類の幼虫を入れて飼育することができる。栄養体として、例えばヒラタケ、カワラタケ等のキノコの菌糸を生育して添加することができる。上記のように、それ自体が甲虫類の餌となり、かつ棲家となるものを以下「飼育材」と称する。甲虫類の飼育に適する環境を維持するために、飼育材に菌糸を追加して加えることができる。また、その他の公知の方法により適切な飼育材を維持することができる。
【００１４】
このような環境で飼育された幼虫はやがてさなぎとなり、成虫になる。
幼虫が生長したあとには、該甲虫類の排泄物、微生物などが混入した残骸が残される。この残骸をそのまま又は更に栄養体を添加して、同様に他の種類の甲虫類の飼育に使用する。また、該残骸と腐葉土を併用することもできる。
具体的には、先に飼育する甲虫類はクワガタ虫であり、その後に飼育する甲虫類はカブト虫が挙げられる。クワガタ虫とカブト虫では、生態環境が異なるために、クワガタ虫の飼育に使用した原木の残骸はもはやクワガタ虫の飼育には使用することはできないが、カブト虫の飼育に使用することができる。
【００１５】
キノコ栽培に使用した後の原木をそのまま、又は生木との混合を粉砕したもの、又さらにヒラタケ、カワラタケ等の菌糸を栄養体として加えたものが、クワガタ虫の幼虫の餌となり、またクワガタ虫が食べた後の穴が住処にもなるので、該原木がクワガタ虫の「飼育材」として極めて有効である。このような環境下でクワガタ虫の産卵から幼虫、成虫まで同じ場所で飼育することも可能となる。
クワガタ虫が卵から成虫になるまでに要する時間は、クワガタムシの種類や環境条件（温度・湿度）により約３ヶ月から２年である。
【００１６】
クワガタ虫を飼育した後の飼育材の残骸をそのまま、又はヒラタケ、カワラタケ等のキノコの菌糸を栄養体として加え、飼育室、例えば飼育ビンに詰め、その中にカブト虫の卵又はカブト虫の幼虫を入れて飼育することができる。このような場合は、カブト虫の飼育材とすることができる。カブト虫の「飼育材」として、上記クワガタ虫飼育後の飼育材の残骸に腐葉土を併用することもできる。腐葉土はカブト虫の産卵や昼間の隠れ住処に適しているため、前記飼育材の残骸を使用することにより、カブト虫の産卵から幼虫、成虫まで同じ場所で飼育が可能となる。
カブト虫が卵から成虫になるまでに要する時間は、カブト虫の種類や環境条件（温度・湿度）により約３ヶ月〜１年である。
【００１７】
（植物の栽培）
甲虫類の飼育に使用した「飼育材」および、該飼育材をさらに他種の甲虫類の飼育に使用した後のものを栽培用材、具体的には肥料、培養土又は土壌改善剤として利用する。上記キノコ栽培に使用した後の原木の残骸を用いてクワガタ虫やカブト虫等の飼育を行なうと、原木がクワガタ虫やカブト虫の餌となったり、穴を掘って住処とすることによって、原木が効果的に分解されるため、クワガタ虫やカブト虫の糞などが混在し、微生物分解、発酵が進み、良質の肥料、培養土又土壌改善剤を得ることができる。
該植物の栽培用材を用いて植物、例えば生花、木、農作物を栽培することで、更に木材のリサイクルを図ることができる。さらに、上記培養用材を用いて原木と同種の樹木の栽培することにより、クローズドリサイクルシステムを図ることができる。
【００１８】
【実施例】
以下、本発明の内容を実施例を示して具体的に説明するが、本発明はこれらの実施例に何ら限定されるものではない。
【００１９】
（実施例１）
（１）木材の伐採
長さ１０ｃｍ〜１８０ｃｍのクヌギを伐採し、原木とした。
【００２０】
（２）キノコの人工培養
（ａ）  （１）クヌギの原木へ、合計約２ｇのシイタケ菌を木のコマに付着させ、３〜４０ヶ所打ち込んだ。該菌を打ち込んだ原木を湿度２０％〜９０％、温度３℃〜３５℃で培養することによりシイタケ菌が原木中に蔓延し、３ヶ月〜１年程度でキノコが発生した。
（ｂ）  （１）クヌギの原木を粉砕し、該粉砕した原木をオートクレーブにより滅菌した。該滅菌された粉砕した原木３６００ｇにヒラタケ菌５〜５０ｇを埋め込み、湿度２０％〜９０％、温度１５℃〜２８℃で培養することによりヒラタケ菌が原木中に蔓延し７日〜３０日でヒラタケが発生した
【００２１】
（３）クワガタ虫の飼育
（ａ）  （２）（ａ）のシイタケの人工栽培に使用した後の、シイタケ菌により腐朽した原木を粉砕したもの１００ｇに、飼育材を作成した。該飼育材にクワガタムシの幼虫１匹を放し、温度１５℃〜３０℃、水分率４５％から６５％の条件下でクワガタムシを飼育した。
（ｂ）  （２）（ａ）のシイタケの人工栽培に使用した後の、シイタケ菌により腐朽した原木を粉砕したもの１００ｇに、生木４００ｇを粉砕したものを加え、さらに栄養体としてヒラタケの菌糸１０ｇを添加して、飼育材を作成した。該飼育材にクワガタムシの幼虫１匹を放し、温度１５℃〜３０℃、水分率４５％から６５％の条件下でクワガタムシを飼育した。
（ｃ）  （２）（ｂ）のヒラタケの人工栽培に使用した後の、ヒラタケ菌により腐朽した原木１００ｇに、飼育材を作成した。該飼育材にクワガタムシの幼虫１匹を放し、温度１５℃〜３０℃、水分率４５％から６５％の条件下でクワガタムシを飼育した。
（ｄ）  （２）（ｂ）のヒラタケの人工栽培に使用した後の、ヒラタケ菌により腐朽した原木１００ｇに、生木４００ｇを粉砕したものを加え、さらに栄養体としてヒラタケの菌糸１０ｇを添加して、飼育材を作成した。該飼育材にクワガタムシの幼虫１匹を放し、温度１５℃〜３０℃、水分率４５％から６５％の条件下でクワガタムシを飼育した。
【００２２】
（４）カブト虫の飼育
（３）のクワガタムシの飼育に使用した後の飼育材の残骸に、カブト虫の幼虫１匹を放し、温度３℃〜３５℃、水分率１５％〜８０％の条件下でカブト虫を飼育した。
【００２３】
（５）植物の栽培
（４）のカブト虫の飼育に使用した後の飼育材の残骸と赤玉土、黒土、鹿沼土を混合し、植物の栽培を行った。
（ａ）  （４）のカブト虫の飼育に使用した後の飼育材の残骸２に対し、赤玉土、黒土、鹿沼土を３：３：２の割合で混合したものが、温度２０℃〜３２℃、湿度２０％〜９５％の条件下でのポトス、ポーチュラカの栽培に好適であった。
（ｂ）  （４）のカブト虫の飼育に使用した後の飼育材の残骸５に対し黒土を５の割合で混合したものが、温度１０℃〜３５℃、湿度１０％〜７０％の条件下でのトマト、ジャガイモの栽培に好適であった。
（ｂ）  （４）のカブト虫の飼育に使用した後の飼育材の残骸のみでは、温度５℃〜２５℃、湿度１０％〜９５％の条件下でのクロッカス、チューリップなどの球根類、ヒマワリ、大豆、小松菜、パンジーの栽培に好適であった。
【００２４】
【発明の効果】
以上説明したように、本発明のリサイクルシステムの実行により、木材の有効活用を図ることができる。又、本発明のリサイクル各工程を、例えば「森林公園」や「昆虫の森」を含む地域内で行うことで、該森林公園等の維持、管理を有効に行うことができるようになる。更に来園者は、本発明のリサイクルシステムの各工程を実際に体験することにより、自然に親しみ、自然の仕組みを学習し、教育することができ、有用な人材教育となる。また、本発明のリサイクルシステム内で生産されるもの、例えば、キノコ類、甲虫類の飼育に使用する飼育材、該飼育された甲虫類、栽培された植物などの販売事業により、当該森林公園等の資金運営を円滑に行うことができる。